(57)【要約】  ｅＮｏｄｅＢなどのアクセスノード（ＡＮ）と通信するために適合されるモバイル管理制御エンティティ（ＭＢＣ）であって、ＭＢは、ＡＮとの間の低減されるべきトラフィックのタイプの指示（７）を含むメッセージを発行するために適合され、トラフィック低減は、トラフィックを拒否すること、無視すること、または選択的に制限することのうちの１つを含む。アクセスノード（ＡＮ）であって、ＡＮは、低減されるべきトラフィックのタイプの指示（７）をＭＢＣから受信すること（７）と、低減されるべきトラフィックのタイプの指示に関連するＵＥのメッセージ（１５０）を受信すること（２１０、１５０）と、低減されるべきトラフィックのタイプの指示に属するＵＥとの間のトラフィックを拒否すること、無視すること、または選択的に制限すること（２１２）とを行うために適合される。【選択図】図３
2019537366.tif 000002
【特許請求の範囲】
【請求項１】
ｅＮｏｄｅＢなどのアクセスノード（ＡＮ）と通信するために適合されたモバイル管理制御エンティティ（ＭＢＣ）のための方法であって、前記ＭＢが、
−  前記ＡＮとの間の低減されるべきトラフィックのタイプの指示（７）を含むメッセージ（６）を発行することであって、前記トラフィック低減（２１２）が、トラフィックをブロックすること、拒否すること、無視すること、または選択的に制限することのうちの１つを含む、発行すること
を行うために適合されている、方法。
【請求項２】
低減されるべきトラフィックのタイプの前記指示（７）を含む前記メッセージ（６）が、開始された過負荷状況または開始するリスクがある過負荷状況を指示する過負荷メッセージ（６）であり、前記メッセージ（６）が前記ＡＮに送信される、請求項１に記載の方法。
【請求項３】
前記過負荷メッセージ（６）が、異常トラフィック指示を含む、請求項２に記載の方法。
【請求項４】
低減されるべきトラフィックのタイプの前記指示（７）が、ＵＥが割り振られ得る予約済み識別情報空間に関連する、請求項１から３のいずれか一項に記載の方法。
【請求項５】
前記ＭＢＣがモビリティ管理エンティティ（ＭＭＥ）であり、前記アクセスノード（ＡＮ）がｅＮｏｄｅＢであり、前記予約済み識別情報空間が、トラフィック低減の対象となるＵＥに割り振られるために予約されるＭＭＥコード（ＭＭＥＣ）識別情報のリストを含む、グローバル一意モバイル管理エンティティ識別子（ＧＵＭＭＥＩ）リスト情報エレメントである、請求項４に記載の方法。
【請求項６】
トラフィック低減の対象となるＵＥに割り振られるために予約されるＭＭＥＣ識別情報の前記リストが、パブリックランドモバイルネットワーク（ＰＬＭＮ）において所与の時間に使用されるどのＭＭＥにも対応しないように選定される、請求項５に記載の方法。
【請求項７】
前記ＭＢＣが、低減されるべきトラフィックのタイプの前記指示（７）を含む前記メッセージ（６）を発行した後に、
−  不正挙動をしている特定のＵＥのためのなど、ＵＥのためのトラフィックを低減するような決定（１４０）を実施することと、
−  低減されるべきトラフィックの前記タイプに関連する前記予約済み識別情報空間内の識別情報に前記ＵＥを割り振ること（１４２）と、
−  前記割り振られたＵＥに関するさらなるメッセージ（１５０）を前記ＡＮに送信することと
を行う、請求項４から６のいずれか一項に記載の方法。
【請求項８】
前記さらなるメッセージ（１５０）が、アタッチ受付メッセージ（１５１、１０３）、トラフィックエリア更新（ＴＡＵ）受付メッセージ、またはグローバル一意一時ＩＤ（ＧＵＴＩ）再割当てコマンドである、請求項７に記載の方法。
【請求項９】
前記ＵＥが、グローバル一意一時ＩＤ（ＧＵＴＩ）に割り振られ、前記ＭＭＥＣが、予約済みアドレス空間から選定される、請求項４から８のいずれか一項に記載の方法。
【請求項１０】
前記過負荷メッセージ（６、７）が、さらに、過負荷開始メッセージである、請求項２および５に記載の方法。
【請求項１１】
ｅＮｏｄｅＢ（ｅＮＢ）などのアクセスノード（ＡＮ）のための方法であって、前記ＡＮが、ＵＥへの無線アクセスのために適合されており、前記ＡＮが、モビリティ管理エンティティ（ＭＭＥ）などのモビリティ制御エンティティ（ＭＢＣ）と通信し、
前記方法が、
−  前記ＭＢＣから低減されるべきトラフィックのタイプの指示（７）をもつメッセージ（６）を前記ＭＢＣから受信することと、
−  低減されるべきトラフィックのタイプの前記指示に関連するＵＥを指示するメッセージを受信すること（１５１、１５０）と、
−  低減されるべきトラフィックのタイプの前記指示に属する前記ＵＥとの間のトラフィックをブロックすること、拒否すること、無視すること、または選択的に制限すること（２１２）と
を含む、方法。
【請求項１２】
低減されるべきトラフィックのタイプの前記指示（７）は、ＵＥが割り振られ得る予約済み識別情報空間に関連し、
前記方法は、
−  割り振られたＵＥに関するさらなるメッセージ（１５０）を前記ＡＮに転送すること（２１０）であって、
前記さらなるメッセージ（１５０）が、低減されるべきトラフィックの前記タイプに関連する予約済み識別情報空間内の識別情報への前記ＵＥの割り振り（１４２）を含む、転送すること（２１０）と、
−  ＵＥからアタッチ要求（２２）を受信することと
をさらに含む、請求項１１に記載の方法。
【請求項１３】
前記ＵＥが、グローバル一意一時ＩＤ（ＧＵＴＩ）に割り振られ、ＭＭＥＣが、低減されるべきトラフィックのタイプの前記指示に関連する予約済みアドレス空間から選定され、前記さらなるメッセージ（１５０）が、アタッチ受付メッセージ（１５１、１０３）、トラフィックエリア更新（ＴＡＵ）受付メッセージ、またはグローバル一意一時ＩＤ（ＧＵＴＩ）再割当てコマンドである、請求項１１または１２に記載の方法。
【請求項１４】
請求項１から１３のいずれか一項に記載のコンピュータプログラムまたはコンピュータプログラム製品。
【請求項１５】
ｅＮｏｄｅＢなどのアクセスノード（ＡＮ）と通信するために適合されたモバイル管理制御エンティティ（ＭＢＣ）であって、前記ＭＢＣは、
−  前記ＡＮとの間の低減されるべきトラフィックのタイプの指示（７）を含むメッセージを発行することであって、前記トラフィック低減が、トラフィックをブロックすること、拒否すること、無視すること、または選択的に制限することのうちの１つを含む、発行すること
を行うために適合された処理手段を備える、モバイル管理制御エンティティ（ＭＢＣ）。
【請求項１６】
低減されるべきトラフィックのタイプの前記指示（７）を含む前記メッセージ（６）が、開始された過負荷状況または開始するリスクがある過負荷状況を指示する過負荷メッセージ（６）であり、前記メッセージが前記ＡＮに送信される、請求項１５に記載のＭＢＣ。
【請求項１７】
前記過負荷メッセージ（６）が、異常トラフィック指示を含む、請求項１６に記載のＭＢＣ。
【請求項１８】
低減されるべきトラフィックのタイプの前記指示（７）が、ＵＥが割り振られ得る予約済み識別情報空間に関連する、請求項１５から１７のいずれか一項に記載のＭＢＣ。
【請求項１９】
前記ＭＢＣがモビリティ管理エンティティ（ＭＭＥ）であり、前記アクセスノード（ＡＮ）がｅＮｏｄｅＢであり、前記予約済み識別情報空間が、トラフィック低減の対象となるＵＥに割り振られるために予約されるＭＭＥコード（ＭＭＥＣ）識別情報のリストを含む、グローバル一意モバイル管理エンティティ識別子（ＧＵＭＭＥＩ）リスト情報エレメントである、請求項１８に記載のＭＢＣ。
【請求項２０】
トラフィック低減の対象となるＵＥに割り振られるために予約されるＭＭＥＣ識別情報の前記リストが、パブリックランドモバイルネットワーク（ＰＬＭＮ）において所与の時間に使用されるどのＭＭＥにも対応しないように選定される、請求項１９に記載のＭＢＣ。
【請求項２１】
前記ＭＢＣが、低減されるべきトラフィックのタイプの前記指示（７）を含む前記メッセージを発行した後に、
−  不正挙動をしている特定のＵＥのためのなど、ＵＥのためのトラフィックを低減するような決定（１４０）を実施することと、
−  低減されるべきトラフィックの前記タイプに関連する前記予約済み識別情報空間内の識別情報に前記ＵＥを割り振ること（１４２）と、
−  前記割り振られたＵＥに関するさらなるメッセージ（１５０）を前記ＡＮに送信することと
を行うために適合された、請求項１６から２０のいずれか一項に記載のＭＢＣ。
【請求項２２】
前記さらなるメッセージ（１５０）が、アタッチ受付メッセージ（１５１、１０３）、トラフィックエリア更新（ＴＡＵ）受付メッセージ、またはグローバル一意一時ＩＤ（ＧＵＴＩ）再割当てコマンドである、請求項２１に記載のＭＢＣ。
【請求項２３】
前記ＵＥが、グローバル一意一時ＩＤ（ＧＵＴＩ）に割り振られ、前記ＭＭＥＣが、予約済みアドレス空間から選定される、請求項１８から２２のいずれか一項に記載のＭＢＣ。
【請求項２４】
前記過負荷メッセージ（６、７）が、さらに、過負荷開始メッセージである、請求項１０および１５に記載のＭＢＣ。
【請求項２５】
前記処理手段が、プロセッサ（ＰＣＵ＿ＭＢＣ）と、インターフェース（ＩＦ＿ＭＢＣ）と、メモリ（ＭＥＭ＿ＭＢＣ）とを備え、命令が、前記プロセッサによって実施されるために前記メモリに記憶され、その結果、シグナリングが前記インターフェース上に実現される、請求項１から２４のいずれか一項に記載のＭＢＣ。
【請求項２６】
ｅＮｏｄｅＢ（ｅＮＢ）などのアクセスノード（ＡＮ）であって、前記ＡＮが、ＵＥへの無線アクセスのために適合された処理手段を備え、前記ＡＮが、モビリティ制御エンティティ（ＭＢＣ）と通信し、
前記ＡＮは、
−  低減されるべきトラフィックのタイプの指示（７）をもつメッセージ（６）を前記ＭＢＣから受信することと、
−  低減されるべきトラフィックのタイプの前記指示に関連するＵＥを指示するさらなるメッセージ（１５０）を前記ＭＢＣから受信すること（１５０）と、
−  低減されるべきトラフィックのタイプの前記指示に属する前記ＵＥとの間のトラフィックをブロックすること、拒否すること、無視すること、または選択的に制限すること（２１２）と
を行うために適合された、アクセスノード（ＡＮ）。
【請求項２７】
低減されるべきトラフィックのタイプの前記指示（７）は、ＵＥが割り振られ得る予約済み識別情報空間に関連し、
前記ＡＮは、
−  割り振られたＵＥに関する前記さらなるメッセージ（１５０）を前記ＡＮに転送すること（２１０）であって、
前記さらなるメッセージ（１５０）が、低減されるべきトラフィックの前記タイプに関連する予約済み識別情報空間内の識別情報への前記ＵＥの割り振り（１４２）を含む、転送すること（２１０）と、
−  ＵＥからアタッチ要求（２２）を受信することと
を行うためにさらに適合された、請求項２６に記載のＡＮ。
【請求項２８】
前記ＵＥが、グローバル一意一時ＩＤ（ＧＵＴＩ）に割り振られ、ＭＭＥＣが、低減されるべきトラフィックのタイプの前記指示に関連する予約済みアドレス空間から選定され、前記さらなるメッセージ（１５０）が、アタッチ受付メッセージ（１５１、１０３）、トラフィックエリア更新（ＴＡＵ）受付メッセージ、またはグローバル一意一時ＩＤ（ＧＵＴＩ）再割当てコマンドである、請求項２６または２７に記載のＡＮ。
【請求項２９】
前記処理手段が、プロセッサ（ＰＣＵ＿ＡＮ）と、インターフェース（ＩＦ＿ＡＮ）と、前記プロセッサによって実施されるための命令を保持するためのメモリ（ＭＥＭ＿ＡＮ）とを備え、その結果、シグナリングが前記インターフェース上に実現される、請求項２６から２８のいずれか一項に記載のＡＮ。
【発明の詳細な説明】
【技術分野】
【０００１】
本発明は、多数の端末を扱うことを伴う保護方法および装置を対象とし、特に、障害のある複数のモノのインターネット（ＩｏＴ）デバイスのための方法および装置を対象とする。
【背景技術】
【０００２】
３ＧＰＰ  ＴＳ２３．４０１  ｖ１４．１．０（２０１６年９月）は、拡張ユニバーサル地上無線アクセスネットワーク（Ｅ−ＵＴＲＡＮ）アクセスのための汎用パケット無線サービス（ＧＰＲＳ）拡張について説明している。図４．２．１−１では、ｅＮｏｄｅＢとしても表されるＥ−ＵＴＲＡＮにＵＥが接続される、非ローミングアーキテクチャが示されている。Ｓ１−Ｕは、ハンドオーバ中の、ベアラごとのユーザプレーントンネリングおよびｅＮｏｄｅＢ間経路スイッチングのための、Ｅ−ＵＴＲＡＮとサービングＧＷとの間の参照ポイントである。Ｓ１−ＭＭＥは、Ｅ−ＵＴＲＡＮとＭＭＥとの間の制御プレーンプロトコルのための参照ポイントである。この図は、本出願の図１中に複写されている。
【０００３】
３ＧＰＰ  ＴＳ３６．４１３バージョン１３．３．０リリース１３（ＥＴＳＩ  ＴＳ１３６  ４１３  Ｖ１３．３．０（２０１６年８月））は、Ｓ１インターフェース、したがってＥ−ＵＴＲＡＮとＳＧＷとＭＭＥとの間のインターフェースのための、Ｅ−ＵＴＲＡＮ無線ネットワークレイヤシグナリングプロトコルを明記している。Ｓ１ＡＰは、基本プロシージャ（ＥＰ：Ｅｌｅｍｅｎｔａｒｙ  Ｐｒｏｃｅｄｕｒｅ）からなる。基本プロシージャは、ｅＮＢとＥＰＣとの間の対話の単位である。
【０００４】
ＩｏＴを展開するとき、いくつかのＩｏＴデバイスが、不正挙動として特徴づけられ得る様式で作動することになるというかなりのリスクがある。不正挙動の動きは、ＩｏＴデバイス自体に起因し、ＩｏＴデバイス上で動作する様々なハードウェア構成要素またはいくつかのアプリケーションによって引き起こされるか、あるいはＩｏＴデバイスの固有の不適切な使用に起因し得る。不正挙動は、不注意によるか、または障害であり得る。代替的に、不正挙動は、危害、詐欺または妨害、あるいは他の種類の不適切な影響を引き起こすための意図的な様式で遂行され得る。
【０００５】
たとえば、デバイス上で実行するアプリケーションの不良な実現が、誤った不適切な挙動につながることがある。たとえば、廃業した会社に属するデバイスが、不当である、ネットワークリソースへのアクセスを得ることを繰り返し試みることがある。
【０００６】
不正挙動ＩｏＴデバイスは、一般に、少量のネットワークリソースを消費するにすぎないであろう。しかしながら、潜在的に多数のＩｏＴデバイスが展開されることになるので、無線ネットワークとコアネットワークの両方において、すべての障害のあるデバイスについての全体的なネットワーク利用率が著しく大きくなり、大量のリソースの浪費につながり得る。
【０００７】
ＩｏＴアプリケーションを立ち上げるための参入障壁（ｅｎｔｒｙ  ｂａｒｒｉｅｒ）が著しく下がることになり、より多くのアプリケーションベンダーがアプリケーションを導入することになるにつれて、これらのアプリケーションのうちのいくつかが、シグナリングに関しては欠点を伴ってデバイス上で立ち上げられるという大きいリスクがあることになる。間違いにより、誤ったシグナリングが行われることがあり、また、セキュリティシステムにおける誤りおよび侵害を利用する不正な個人によって故意に、不要なシグナリングが行われることがある。
【発明の概要】
【０００８】
最終的にアクセスがグラントされないネットワークにアクセスすることを繰り返し試みるデバイスが、不要なリソースを消費することになることに留意されたい。本発明によれば、所与の無認可デバイスがアクセスを拒絶されるべきであることをネットワークがより早く検出することができるほど、リソースはあまり浪費されなくなることがわかる。
【０００９】
本発明の第１の目的は、不正挙動デバイスまたは誤ったデバイスを伴う状況において、ネットワークにおけるリソースを節約することである。
【００１０】
この目的は、ｅＮｏｄｅＢなどのアクセスノード（ＡＮ）と通信するために適合されるモバイル管理制御エンティティ（ＭＢＣ：ｍｏｂｉｌｅ  ｍａｎａｇｅｍｅｎｔ  ｃｏｎｔｒｏｌ  ｅｎｔｉｔｙ）のための方法であって、ＭＢが、ＡＮとの間の低減されるべきトラフィックのタイプの指示を含むメッセージを発行するために適合されている、方法によって得られる。トラフィック低減は、トラフィックをブロックすること、拒否すること、無視すること、または選択的に制限することのうちの１つを含む。
【００１１】
上記の目的は、ｅＮｏｄｅＢ（ｅＮＢ）などのアクセスノード（ＡＮ）のための方法であって、ＡＮが、ＵＥへの無線アクセスのために適合されており、ＡＮが、モビリティ管理エンティティ（ＭＭＥ）などのモビリティ制御エンティティ（ＭＢＣ：ｍｏｂｉｌｉｔｙ  ｃｏｎｔｒｏｌ  ｅｎｔｉｔｙ）と通信し、方法が、ＭＢＣから低減されるべきトラフィックのタイプの指示をもつメッセージをＭＢＣから受信することと、低減されるべきトラフィックのタイプの指示に関連するＵＥを指示するメッセージを受信することとを含む、方法によってさらに達成される。本方法は、その上、低減されるべきトラフィックのタイプの指示に属するＵＥとの間のトラフィックをブロックすること、拒否すること、無視すること、または選択的に制限することを含む。
【００１２】
一態様によれば、ｅＮｏｄｅＢなどのアクセスノード（ＡＮ）と通信するために適合されるモバイル管理制御エンティティ（ＭＢＣ）であって、ＭＢＣは、
−  ＡＮとの間の低減されるべきトラフィックのタイプの指示を含むメッセージを発行することであって、トラフィック低減が、トラフィックをブロックすること、拒否すること、無視すること、または選択的に制限することのうちの１つを含む、発行すること
を行うために適合された処理手段を備える、モバイル管理制御エンティティ（ＭＢＣ）が提供される。
【００１３】
さらなる実施形態によれば、ｅＮｏｄｅＢ（ｅＮＢ）などのアクセスノード（ＡＮ）であって、ＡＮが、ＵＥへの無線アクセスのために適合された処理手段を備え、ＡＮが、モビリティ制御エンティティ（ＭＢＣ）と通信し、ＡＮが、
−  低減されるべきトラフィックのタイプの指示をもつメッセージをＭＢＣから受信することと、
−  低減されるべきトラフィックのタイプの指示に関連するＵＥを指示するさらなるメッセージをＭＢＣから受信することと、
−  低減されるべきトラフィックのタイプの指示に属するＵＥとの間のトラフィックをブロックすること、拒否すること、無視すること、または選択的に制限することと
を行うために適合された、アクセスノード（ＡＮ）が提供される。
【００１４】
ｅＮｏｄｅＢおよびＭＭＥを伴う現在のエボルブドパケットコア（ＥＰＣ）システムでは、不正挙動デバイス／障害のあるデバイスがＭＭＥに達するまで、すなわち、無線接続が確立され、ＭＭＥとｅＮｏｄｅＢとの間でシグナリングが行われるまで、不正挙動デバイス／障害のあるデバイスを検出するための良好なやり方がない。３ＧＰＰ  ２３．４０１  ｖ１４．１．０、４．３．７．４「ＭＭＥ  ｃｏｎｔｒｏｌ  ｏｆ  ｏｖｅｒｌｏａｄ」は、輻輳およびシグナリング（過）負荷を扱うための機能を明記しているが、この方法は、ＭＭＥまでずっとシグナリングを必要とする。
【００１５】
本発明の別の態様によれば、低減されるべきトラフィックのタイプの指示（７）が、開始された過負荷状況または開始するリスクがある過負荷状況を指示する、ＡＮへの過負荷メッセージ（６）中に含まれる。
過負荷メッセージ（６）は、異常トラフィック指示を含み得る。
【００１６】
本発明のさらなる態様によれば、低減されるべきトラフィックのタイプの指示（７）は、ＵＥが割り振られ得る予約済み識別情報空間に関連する。
【００１７】
１つのさらなる態様によれば、ＭＢはモビリティ管理エンティティ（ＭＭＥ）であり、アクセスノード（ＡＮ）はｅＮｏｄｅＢであり、予約済み識別情報空間は、トラフィック低減の対象となるＵＥに割り振られるために予約されるＭＭＥコード（ＭＭＥＣ）識別情報のリストを含む、グローバル一意モバイル管理エンティティ識別子（ＧＵＭＭＥＩ）リスト情報エレメントである。
【００１８】
本発明の一態様によれば、不正挙動デバイスは、無線接続セットアッププロセス中にすでにアクセスを拒絶され得、それにより、浪費されるリソース利用率が最小限に抑えられ得る。
【００１９】
不正挙動デバイスの識別情報について無線ネットワークに通知することによって、無線基地局は、最小限のネットワーク労力で、悪影響を受けたデバイスを拒絶／無視するなど、適切な行為をとることができる。ネットワークサービスへのアクセスを得る機会を有するべきでないデバイスの早期（すなわちＲＡＮによる）検出によって、そのようなデバイスからの全体的なネットワーク負荷が必要最小限に抑えられ、不正挙動しないデバイスに、より少ない設備投資で、より良いサービスを受けさせることができる。
【図面の簡単な説明】
【００２０】
【図１】知られている参照エボルブドパケットシステム（ＥＰＳ）、コアネットワーク（ＣＮ）アーキテクチャを示し、その上、ＵＥ、ｅＮｏｄｅＢ、ＭＭＥおよびＳＧＷを示す図である。
【図２】無線リソース制御（ＲＲＣ）接続セットアップとＭＭＥ選択とを伴う、従来技術のシナリオによる、例示的なシグナリングフローを示す図である。
【図３】本発明の第１の実施形態に関係するシグナリング図である。
【図４】第１の実施形態による、アクセスノード（ＡＮ）およびモビリティ管理制御エンティティ（ＭＢＣ）に関係するフロー図である。
【図５】第１の実施形態による、アクセスノード（ＡＮ）およびモビリティ管理制御エンティティ（ＭＢＣ）に関係するフロー図である。
【図６】本発明のさらなる実施形態のシーケンス図である。
【図７】ＭＢＣのための代替フロー図である。
【図８】ＣＩｏＴシナリオのためのさらなる実施形態を示す図である。
【図９】ＣＩｏＴシナリオのためのさらなる実施形態を示す図である。
【図１０】ｅＮｏｄｅＢ（ｅＮＢ）などのアクセスノード（ＡＮ）およびモバイル管理エンティティ（ＭＭＥ）／モビリティ制御エンティティ（ＭＢＣ）の実施形態を示す図である。
【図１１】上記のノードの代替実装形態を示す図である。
【発明を実施するための形態】
【００２１】
本発明の一実施形態では、ＭＭＥなどのモビリティ管理制御エンティティ（ＭＢＣ）は、ｅＮｏｄｅＢなどのアクセスノード（ＡＮ）ができるだけ早くメッセージを廃棄することを可能にする識別情報を提供する。アクセスノード（ＡＮ）は、様々なやり方でメッセージを扱い、たとえば、ＡＮは、タイマーが満了するまでＵＥが再試行することを可能にしない何らかの待機タイマーを用いて、ＵＥを能動的に拒否することができるか、または、ＡＮは、受動的にＵＥを無視し、一時識別情報が明らかにされると、ＵＥのリソースの割り当てを取り消すことができる。
【００２２】
図３、図４および図５では、本発明の第１の実施形態が示されている。
ステップ６において、ＭＢＣからＡＮに過負荷メッセージが送信される。このメッセージは、低減されるべきトラフィックのタイプの指示７を含み得、その指示は、低減、ブロックまたは制約されるべき、あるいはＡＮによって課せられる他の制限の対象となるべきトラフィックをマークする。ＡＮはこの指示７に気づかされる。
ステップ１４０において、たとえば、特定のＵＥが不正挙動をしていることがわかったので、特定のＵＥのためのトラフィックを低減することが、ＭＢＣにおいて決定される。
ＭＢＣは、低減されるべきトラフィックのタイプの指示に関連するＵＥに関するメッセージ１５０を送信する。
ＡＮは、特定のＵＥからのアタッチ試み４１に遭遇したとき、当該のＵＥが、低減されるべきトラフィックのタイプに関連することに気づき、その特定のＵＥのためのトラフィックを無視／禁止／または低減することを決定する。
過負荷メッセージ６は、以下でさらに説明される様式で指定され得る。
【００２３】
この実施形態の１つのオプションでは、ステップ１４０、所与のＵＥのためのトラフィックを低減することを決定することの後に、ステップ１４１が行われる。ＭＢＣは、その目的で、すなわち、その特定のＵＥと、また、予約済みアドレス空間内の関連する他のＵＥとのためのトラフィックの低減を実現するように、予約済みアドレス空間内でＵＥに一時ＩＤを割り振ること１４２によって、低減されるべきトラフィックのタイプの指示にＵＥを関連付ける。
【００２４】
本発明の態様によれば、ＵＥがグラントなしにネットワークにアクセスすることを繰り返し試みていることをＭＭＥが検出したときはいつでも、ＭＭＥは、そのＵＥが障害のあるデバイスとしてｅＮｏｄｅＢによってその後検出されることを可能にするパターンで、（グローバル一意一時識別子（ＧＵＴＩ：Ｇｌｏｂａｌｌｙ  Ｕｎｉｑｕｅ  Ｔｅｍｐｏｒａｒｙ  Ｉｄｅｎｔｉｆｉｅｒ）などの）一時識別情報をＵＥに割り振ることが提供される。次いで、ｅＮｏｄｅＢは、任意のさらなるシグナリングおよび／または処理が行われる前に、初期段階において、無線レベルで、デバイスを無視または拒否することなど、適切な行為をとり得る。
【００２５】
今度は、複数のＡＮおよび複数のＭＢＣならびに設定サーバ（ＣＮＦＧ：ｃｏｎｆｉｇｕｒａｔｉｏｎ  ｓｅｒｖｅｒ）を伴う例示的なシナリオに関係する、図６に示されているさらなる実施形態では、ＵＥのためのトラフィックの低減のための予約済みＩＤ空間の指示／トラフィック低減の対象となるＵＥに割り振られるために予約された識別情報が、ステップ５においていくつかのＭＢＣに通信される。ＭＢＣは、次に、この情報７を複数のＡＮにさらに送信する。
【００２６】
ＭＢＣは、その後、不正な動きまたは不正挙動の動きを指示する行為のために、特定のＵＥのためのトラフィックを低減することを決定し得る（１４０）。代替的に、この情報はまた、ＣＮＦＧからＭＢＣへのオーダーまたは命令９として転送され得る。
【００２７】
たとえば、特定の不正挙動ＵＥからのアタッチ要求２２に遭遇したとき、ステップ１４２において、ＭＢＣは、ＵＥのためのトラフィックの低減のための予約済みＩＤ空間内で特定のＵＥに一時ＵＥ識別情報（ＩＤ）を割り振る。その後、ＭＢＣは、トラフィックを低減するための予約済みＩＤ空間内のＵＥ指示１５０を含むアタッチ受付１５１でＡＮに応答し、ＡＮは、メッセージをＵＥに転送する（２１０）。
【００２８】
特定のＵＥが新たなアタッチ試み４１を行うとき、ＡＮは無視するか、または上記で説明されたトラフィックを低減する行為のいずれかを実施する（２１２）ので、そのような試みは、ＭＢＣまたは他のいかなるＣＮノードにも転送されない。
【００２９】
図７では、図４中で指示されたＭＢＣ機能のさらなる変形態が提供される。この実施形態では、ステップ８において、たとえば、所定の限度を超える、一定の時間期間またはタイマー値内で、繰り返されるアタッチ要求に遭遇するかどうかが検査される。これが当てはまるとき、プロシージャは、最初に、ステップ１４０に進む。
【００３０】
ＵＥのステータスを再検討し、もはやＵＥを不正挙動として扱わないことを決定した場合、フォールバックソリューションを作成するために、ｅＮＢは、一実施形態において、ＵＥの完全な識別情報（ＧＵＴＩ）を提供され、それにより、不正挙動ＵＥのセットに対する例外を作成する。ＵＥシグナリングをＣＮに伝搬させると、ＭＭＥが、ＵＥを不正挙動として識別しない別のＧＵＴＩをＵＥに割り振ることになるので、ｅＮＢに記憶されたＧＵＴＩは削除され得る。
【００３１】
不正挙動ＵＥと考えられるものをキャンセルする別のやり方は、不正挙動ＵＥの新しいグループ識別子をｅＮＢに提供することであり得る。しかしながら、そのようなソリューションの１つの暗示は、前に不正挙動と考えられたすべてのＵＥが、ＭＭＥに転送されることになり、それにより、ＭＭＥは、依然として不正挙動と見なされるＵＥに新しいグループ識別子を再割り振りする必要があることである。
【００３２】
保守を受け、したがって、もはや不正挙動と見なされるべきでないＵＥは、ＩＭＳＩアタッチによってネットワークへのアクセスを得ることがある。
【００３３】
一実施形態では、ＧＵＴＩ割り当てが、アタッチ／ＴＡＵ受付メッセージ中でのみ割り振られるので、ＭＭＥは、受付をＵＥに送らなければならない。この後、ＵＥは、さらなるシグナリング／データ転送の機会を最小限に抑えるために、ＭＭＥによって直ちに解放される。この時点からネットワークにアクセスすることをＵＥが試みるとき、ＵＥは、ＲＡＮノードによって障害があると認識され、もう通過できない。
【００３４】
一実施形態によれば、グローバルユニバーサル一時識別子（ＧＵＴＩ：Ｇｌｏｂａｌ  Ｕｎｉｖｅｒｓａｌ  Ｔｅｍｐｏｒａｒｙ  Ｉｄｅｎｔｉｆｉｅｒ）は、所与のＵＥまたはＵＥのグループが禁止されるべきであることをＡＮに指示するために使用される。
【００３５】
既存のグローバル一意一時識別子（ＧＵＴＩ）は、加入者識別情報（すなわち、ＳＩＭまたはＵＳＩＭを識別する国際モバイル加入者識別情報）を明らかにすることなしに、グローバルにＵＥを識別し、以下のフォーマットに基づく。
2019537366.tif 000003
【００３６】
グローバル一意一時識別子（ＧＵＴＩ）は、グローバル一意モバイル管理エンティティ識別子（ＧＵＭＭＥＩ）と、ＭＭＥ−一時モバイル加入者識別情報（Ｍ−ＴＭＳＩ：ＭＭＥ−Ｔｅｍｐｏｒａｒｙ  Ｍｏｂｉｌｅ  Ｓｕｂｓｃｒｉｂｅｒ  Ｉｄｅｎｔｉｔｙ）とを含む。
【００３７】
ＧＵＭＭＥＩは、さらに、パブリックランドモバイルネットワーク識別情報（ＰＬＭＮ  ＩＤ）と、ＭＭＥグループ識別情報（ＭＭＥＧＩ）と、ＭＭＥコード（ＭＭＥＣ）とからなる。ＰＬＭＮは、さらに、モバイル国コード（ＭＣＣ）と、モバイルネットワークコード（ＭＮＣ）とからなる。
【００３８】
ＭＭＥは、一般に、ＭＭＥＧＩによって指定されたプールにおいて構成される。本発明の一実施形態によれば、実際に使用では、８ビットＭＭＥＣアドレス空間によって与えられる上限に対応する量のＭＭＥをプール中に組み込むことにはならないので、「存在しない」または「現れない」ＭＭＥＣが、禁止されるべきＵＥ／低減されるべきトラフィックのタイプのための予約済み識別空間として選定される。
【００３９】
本発明の実施形態によれば、たとえば、障害のある挙動または不正挙動により、所与のＵＥが禁止されるべきであると決定されたとき、当該のＵＥは、トラフィック低減のための予約済みＭＭＥＣを含んでいるアドレス空間からＭＭＥＣが選定される、ＧＵＴＩを割り当てられる。
【００４０】
要約すれば、本発明のいくつかの実施形態によれば、以下が提供される。
【００４１】
ｅＮｏｄｅＢなどのアクセスノード（ＡＮ）と通信するために適合されるモバイル管理制御エンティティ（ＭＢＣ）のための方法であって、ＭＢが、
−  ＡＮとの間の低減されるべきトラフィックのタイプの指示７を含むメッセージを発行することであって、トラフィック低減が、トラフィックを拒否すること、無視すること、または選択的に制限することのうちの１つを含む、発行すること
を行うために適合される、モバイル管理制御エンティティ（ＭＢＣ）のための方法。
【００４２】
低減されるべきトラフィックのタイプの指示７は、開始された過負荷状況または開始するリスクがある過負荷状況を指示する、ＡＮへの過負荷メッセージ６中に含まれ得る。
【００４３】
過負荷メッセージ６は、異常トラフィック指示を含み得る。
【００４４】
低減されるべきトラフィックのタイプの指示７は、ＵＥが割り振られ得る予約済み識別情報空間に関連し得る。
【００４５】
一実施形態では、ＭＢはモビリティ管理エンティティ（ＭＭＥ）であり、アクセスノード（ＡＮ）はｅＮｏｄｅＢであり、予約済み識別情報空間は、トラフィック低減の対象となるＵＥに割り振られるために予約されるＭＭＥコード（ＭＭＥＣ）識別情報のリストを含む、グローバル一意モバイル管理エンティティ識別子（ＧＵＭＭＥＩ）リスト情報エレメントである。
【００４６】
ＭＭＥＣ識別情報のリストは、予約済みＩＤ空間について、パブリックランドモバイルネットワーク（ＰＬＭＮ）において所与の時間に使用されるいかなるＭＭＥにも対応しないように選定され得る。
【００４７】
ＭＢＣは、低減されるべきトラフィックのタイプの指示７を発行した後に、
−  不正挙動をしている特定のＵＥのためのなど、ＵＥのためのトラフィックを低減するような決定１４０を実施することと、
−  低減されるべきトラフィックのタイプに関連する予約済み識別情報空間にＵＥを割り振ること１４２と、
−  割り振られたＵＥに関するさらなるメッセージ１５０をＡＮに送信することと
を行っていることがある。
【００４８】
さらなるメッセージ１５０はアタッチ受付メッセージ１５１であり得る。さらなるメッセージ（１５０）は、ＴＡＵ受付メッセージまたはＧＵＴＩ再割当てコマンドでもあり得る。
【００４９】
また、ｅＮｏｄｅＢ（ｅＮＢ）などのアクセスノード（ＡＮ）のための方法であって、ＡＮが、ＵＥへの無線アクセスのために適合され、ＡＮが、モビリティ制御エンティティ（ＭＢＣ）／ＭＭＥと通信し、方法が、
−  低減されるべきトラフィックのタイプの指示７をＭＢから受信すること７と、
−  低減されるべきトラフィックのタイプの指示に関連するＵＥのメッセージ１５０を受信すること２１０、１５０と、
−  低減されるべきトラフィックのタイプの指示に属するＵＥとの間のトラフィックを拒否すること、無視すること、または選択的に制限すること２１２と
を含む、方法が提供される。
【００５０】
実施形態は、有利に、コンピュータプログラムまたはコンピュータプログラム製品によって実装され得る。
【００５１】
ｅＮｏｄｅＢなどのアクセスノード（ＡＮ）と通信するために適合されるモバイル管理制御エンティティ（ＭＢＣ）であって、ＭＢＣは、
ＡＮとの間の低減されるべきトラフィックのタイプの指示７を含むメッセージを発行することであって、トラフィック低減が、トラフィックを拒否すること、無視すること、または選択的に制限することのうちの１つを含む、発行すること
を行うために適合された処理手段を備える、モバイル管理制御エンティティ（ＭＢＣ）がさらに提供される。
【００５２】
また、ｅＮｏｄｅＢ（ｅＮＢ）などのアクセスノード（ＡＮ）が提供される。ＡＮは、ＵＥに無線アクセスを提供するために適合された処理手段を備え、ＡＮは、モビリティ制御エンティティ（ＭＢＣ）と通信し、
ＡＮは、
−  低減されるべきトラフィックのタイプの指示７をＭＢＣから受信すること７と、
−  低減されるべきトラフィックのタイプの指示に関連するＵＥのメッセージ１５０を受信すること２１０、１５０と、
−  低減されるべきトラフィックのタイプの指示に属するＵＥとの間のトラフィックを拒否すること、無視すること、または選択的に制限すること２１２と
を行うために適合される。
【００５３】
さらなる実施形態
本発明の一態様は、３ＧＰＰ  ＴＳ２３．４０１  ｖ．１４．１．０および３ＧＰＰ  ＴＳ３６．４１３  ｖ．１４．０．０による実装形態に関し得る。
【００５４】
既存の３ＧＰＰ  ＴＳ２３．４０１  ｖ．１４．１．０仕様書４．３．７．４は、ＭＭＥが、過負荷状況を回避し、扱うための機構を含んでいるものとすることを明記している。これらの機構は、ＵＥからのＮＡＳ要求を拒否するためのＮＡＳシグナリングの使用を含むことができる。加えて、異常状況下で、ＭＭＥは、ＭＭＥが過負荷制限を可能にするように設定されている場合、ＭＭＥのｅＮｏｄｅＢが生成している負荷を制限するものとする。これは、ＭＭＥがＳ１インターフェース接続を有するｅＮｏｄｅＢのすべてまたは一部に対して、ＭＭＥが、Ｓ１インターフェース過負荷プロシージャ（ＴＳ３６．３００およびＴＳ３６．４１３参照）を呼び出すことによって達成され得る。ＭＭＥが低減することを望む負荷の量を反映するために、ＭＭＥは、Ｓ１インターフェース過負荷開始メッセージが送られるｅＮｏｄｅＢの割合と、過負荷開始メッセージの内容とを調整することができる。ＭＭＥは、随意に、過負荷開始メッセージ中にトラフィック負荷低減指示を含め得る。
【００５５】
後者の仕様書３ＧＰＰ  ＴＳ３６．４１３  ｖ．１４．０．０では、セクション８．７．６において、過負荷開始プロシージャが指示されており、そのプロシージャの目的は、関係するＭＭＥに対するシグナリング負荷を低減するためにｅＮＢに通知することである。図８．７．６．２−１：過負荷開始プロシージャでは、過負荷開始メッセージがＭＭＥによってｅＮＢに発行される。
【００５６】
本発明の一態様によれば、３ＧＰＰ  ＴＳ２３．４０１  ｖ．１４．１．０は、ＭＭＥが、随意に、過負荷開始メッセージ中に、トラフィック負荷低減指示または異常トラフィック指示のいずれかを含め得るように変更される。トラフィック負荷低減指示が含まれる場合、ｅＮｏｄｅＢは、サポートされている場合、要求された割合に従って、指示されたトラフィックのタイプを低減するものをする（３ＧＰＰ  ＴＳ３６．４１３）。また、異常トラフィック指示が含まれる場合、ｅＮｏｄｅＢは、サポートされている場合、指示されたトラフィックのタイプを低減するものとする（３ＧＰＰ  ＴＳ３６．４１３）。指示されたトラフィックを低減するやり方は実装依存であり、たとえば、メッセージを拒否または無視することによるものである。
【００５７】
本発明の一態様によれば、識別されたトラフィックが低減されるべきであることをｅＮＢに指示するために、過負荷開始メッセージ中に新しい情報エレメント（ＩＥ）が導入される。
【００５８】
本発明の一態様によれば、３ＧＰＰ  ＴＳ３６．４１３  ｖ．１４．０．０プロシージャは、その上、過負荷開始メッセージを受信したｅＮＢが、ｅＮＢがメッセージを受信したＭＭＥが過負荷状態にあるか、または過負荷状態に入るリスクを冒していると仮定するものとするように変更される。
【００５９】
ｅＮＢは、その上、
−  異常トラフィック指示ＩＥが過負荷開始メッセージ中に含まれている場合、およびサポートされている場合、ｅＮＢが、異常として指示されたシグナリングトラフィックを低減するものとするように変更される。指示されたトラフィックを低減するやり方は実装固有であり得、たとえば、メッセージを拒否または無視することによるものである。
2019537366.tif 000004
【００６０】
異常トラフィック指示ＩＥは、過負荷開始メッセージＩＥ中で識別されたトラフィックが低減されるものとすることを指示する。
2019537366.tif 000005
【００６１】
３ＧＰＰ  ＴＳ３６．４１３  ｖ．１４．０．０の８．７．７では、８．７．７．１、概要において、過負荷停止が説明されている。
【００６２】
過負荷停止プロシージャの目的は、ＭＭＥにおける過負荷状況が終了し、通常動作が再開するものとすることを、ＭＭＥが接続されているｅＮＢにシグナリングすることである。
【００６３】
本発明の一実施形態によれば、ＧＵＭＭＥＩリストＩＥが存在する場合、ｅＮＢは、サポートされている場合、ＴＳ３６．３００、節４．６．２、４．７．４および１９．２．２．１２に従って、どのトラフィックを拒否または低減することを中止し、続行するべきかを識別するために、この情報を使用するものとする。特定のＧＵＭＭＥＩ値について、特定の過負荷行為が進行中でない場合、ｅＮＢはこの値を無視するものとする。
本発明の態様によれば、不正挙動デバイスがアクセスを拒絶されるものとすることをネットワークがより早く検出することができるほど、浪費されるリソースが少なくなり、ネットワークにおいて輻輳が生じるリスクが小さくなることに留意されたい。不正挙動デバイスの識別情報について無線ネットワークに通知することによって、無線基地局は、最小限のネットワーク労力で、悪影響を受けたデバイスを拒絶または無視するなど、適切な行為をとることができる。
【００６４】
原則として、これは、個々のＵＥベースで（すなわち、各不正挙動ＵＥの識別情報をｅＮＢに提供して）行われ得る。しかしながら、個々のＵＥ識別情報を使用することは、潜在的に多くの識別情報がいくつかのｅＮＢによって扱われる必要があるので、実現可能なソリューションであるように思われない。
【００６５】
したがって、本発明の一態様によれば、不正挙動ＵＥはグループとして識別され、すなわち、最初に、トラフィックが低減されるべきであるグループの識別情報に関係する情報をｅＮＢに提供し、その後、このグループ識別情報を各不正挙動ＵＥに割り振る。一態様によれば、不正挙動として決定されたＵＥは、トラフィック制約目的のために予約された固有のＭＭＥＣ値を含むＧＵＭＭＥＩに割り振られる。その場合、ＭＭＥＣ値は、ＰＬＭＮごとに、ＲＡＮとＣＮの両方に知らされる必要がある。
固有のＭＭＥＣ値を含むＳ−ＴＭＳＩを使用したＵＥからの接続要求において、ｅＮＢは適切な行為をとり、すなわち、要求を拒否または無視することになる。
したがって、一実施形態では、既存の過負荷開始メッセージは、新しいパラメータの追加によって拡張される。このパラメータを含む過負荷開始メッセージを受信するｅＮＢは、過負荷開始中で指示されるＭＭＥＣを含むＵＥ要求が、無効と見なされ得ることを通知されることになる。
【００６６】
一実施形態では、既存の過負荷開始ハンドリングは、既存の機構で識別されるトラフィックは有効であるが、このトラフィックの量は低減される必要があるようなものである。新しいハンドリングは、指示されたＭＭＥＣによって識別されたすべてのトラフィックが無効であることをｅＮＢに指示する。どのトラフィックが低減されるべきであるかをｅＮＢに指示するために、過負荷開始メッセージ中に、新しい随意のパラメータが導入される。トラフィック低減を行うやり方は、様々なやり方で実装され得る。新しいパラメータによって指示されたタイプのすべてのトラフィックが低減されるものとするので、随意のトラフィック負荷低減指示は、新しいパラメータとともに使用されないものとする。
【００６７】
さらなる実施形態が、制御プレーンセルラーモノのインターネット（ＣＩｏＴ）エボルブドパケットシステム（ＥＰＳ）最適化を介して、データ転送のためのＣＮ過負荷制御に適用可能であり得る。永続的に不正挙動をしているデバイス、たとえば、分散型サービス拒否（ＤＤＯＳ：Ｄｉｓｔｒｉｂｕｔｅｄ  Ｄｅｎｉａｌ  ｏｆ  Ｓｅｒｖｉｃｅ）の悪意のあるウイルスによって感染したデバイスについて、このソリューションは、ＭＭＥが、ブロックされるべきとｅＮＢに知られている固有のＭＭＥＣを含むＧＵＴＩとともにアタッチ要求に応答することを伴う。これは、制御プレーンセルラーモノのインターネット（ＣＩｏＴ）最適化を使用し、たとえば、頻繁にデータを送る不正挙動デバイスについて、特に重要である。既存の過負荷開始／停止機構を使用することによって、ｅＮＢは、上述のＭＭＥＣを含むＧＵＭＭＥＩと、そのＭＭＥＣを含むＣＰ上のシグナリングおよびデータをブロックするための指示とを提供される。
【００６８】
図８では、ＵＥアタッチまたはＴＡＵプロシージャ中に「ブロックされた」ＭＭＥＣをもつＵＥの、そのような実施形態が示されている。
ステップ１０１において、ＵＥは、制御プレーンＣＩｏＴ最適化のための好ましいネットワーク挙動でアタッチまたはＴＡＵ要求を始める。
ステップ１０２において、ＭＭＥが、ＵＥが不正挙動をしており、ブロックされる必要があることを知るかまたは決定する場合。
ステップ１０３において、ＭＭＥは、アタッチ／ＴＡＵ受付メッセージ内で、いかなるアクセス要求においてもブロックされるべき、前にＲＡＮに提供されたＭＭＥＣを含むＧＵＴＩを返す。
【００６９】
図９では、制御プレーンサービス要求中のブロックされたＭＭＥＣを示す、さらなる実施形態が指示されている。
ステップ２０１において、ＵＥは、制御プレーンＣＩｏＴ  ＥＰＳ最適化を介してデータを送信するために、アイドルモードから制御プレーンサービス要求を始める。ＵＥからｅＮＢへの、ＮＡＳ  ＰＤＵ（ネットワークアクセス層）制御プレーンサービス要求を伴う無線リソース制御（ＲＲＣ）メッセージがセットされる。
ステップ２０２において、ｅＮＢは、受信されたメッセージ中のＳ−ＴＭＳＩ中のＭＭＥＣが、ｅＮＢにおいて設定された、ブロックされたＭＭＥＣに一致することを検出し、ＵＥからのメッセージが廃棄または無視されるべきであり、ＲＲＣ接続が解放されるべきであると決定する。
ステップ２０３において、ＲＲＣ接続は解放される。
【００７０】
本発明の実施形態によれば、不正挙動デバイスを無効にするためのオペレータのための効率的なツールが提供された。不正挙動デバイスは、それにより、ＲＡＮにおいてブロックされ得、ネットワークにおけるさらなる負荷を引き起こさなくなる。このソリューションは、デバイスがバックオフ特性を実装しているか否かにかかわらず、すべてのデバイスについてうまくいく。
【００７１】
図１０では、プロセッサＰＣＵ＿ＡＮと、インターフェースＩＦ＿ＡＮと、メモリＭＥＭ＿ＡＮとを備える、処理手段を備えるＡＮ／ｅＮＢが示されている。命令が、プロセッサによって実施されるためにメモリに記憶され、その結果、上記で説明された方法のステップが行われ、シグナリングがインターフェース上で通信される。
最終的に、ＭＢＣ／ＭＭＥは、プロセッサＰＣＵ＿ＭＢＣと、インターフェースＩＦ＿ＭＢＣと、メモリＭＥＭ＿ＭＢＣとを備える、処理手段を備える。命令が、プロセッサによって実施されるためにメモリに記憶され、その結果、上記で説明された方法のステップが行われ、その結果、対応するシグナリングがインターフェース上に実現される。
【００７２】
本発明の実施形態によれば、ｅＮｏｄｅＢなどのアクセスノード（ＡＮ）と通信するために適合されるモバイル管理制御エンティティ（ＭＢＣ）のための方法であって、ＭＢが、ＡＮとの間の低減されるべきトラフィックのタイプの指示７を含むメッセージ６を発行するために適合され、トラフィック低減２１２が、トラフィックをブロックすること、拒否すること、無視すること、または選択的に制限することのうちの１つを含む、方法が提供される。
【００７３】
低減されるべきトラフィックのタイプの指示７を含むメッセージ６は、開始された過負荷状況または開始するリスクがある過負荷状況を指示する過負荷メッセージ６であり、メッセージ６はＡＮに送信され得る。その上、過負荷メッセージ６は、異常トラフィック指示を含み得る。
【００７４】
本発明の一態様によれば、低減されるべきトラフィックのタイプの指示７は、ＵＥが割り振られ得る予約済み識別情報空間に関連する。
【００７５】
別の態様によれば、ＭＢＣはモビリティ管理エンティティ（ＭＭＥ）であり、アクセスノード（ＡＮ）はｅＮｏｄｅＢであり、予約済み識別情報空間は、トラフィック低減の対象となるＵＥに割り振られるために予約されるＭＭＥコード（ＭＭＥＣ）識別情報のリストを含む、グローバル一意モバイル管理エンティティ識別子（ＧＵＭＭＥＩ）リスト情報エレメントである。
【００７６】
トラフィック低減の対象となるＵＥに割り振られるために予約されるＭＭＥＣ識別情報のリストは、パブリックランドモバイルネットワーク（ＰＬＭＮ）において所与の時間に使用されるどのＭＭＥにも対応しないように有利に選定され得る。
【００７７】
ＭＢＣは、低減されるべきトラフィックのタイプの指示７を含むメッセージ６を発行した後に、不正挙動をしている特定のＵＥのためのなど、ＵＥのためのトラフィックを低減するような決定１４０を実施することと、低減されるべきトラフィックのタイプに関連する予約済み識別情報空間内の識別情報にＵＥを割り振ること１４２と、割り振られたＵＥに関するさらなるメッセージ１５０をＡＮに送信することとを行っていることがある。
【００７８】
さらなるメッセージ１５０は、アタッチ受付メッセージ１５１、１０３、トラフィックエリア更新（ＴＡＵ）受付メッセージ、またはグローバル一意一時ＩＤ（ＧＵＴＩ）再割当てコマンドであり得る。
【００７９】
ＵＥは、グローバル一意一時ＩＤ（ＧＵＴＩ）に割り振られ得、ＭＭＥＣは、予約済みアドレス空間から選定される。
【００８０】
一実施形態によれば、過負荷メッセージ６、７は過負荷開始メッセージである。
【００８１】
また、ｅＮｏｄｅＢ（ｅＮＢ）などのアクセスノード（ＡＮ）であって、ＡＮが、ＵＥへの無線アクセスのために適合され、ＡＮが、モビリティ管理エンティティ（ＭＭＥ）などのモビリティ制御エンティティ（ＭＢＣ）と通信し、ＡＮが、ＭＢＣから低減されるべきトラフィックのタイプの指示７をもつメッセージ６をＭＢＣから受信することと、低減されるべきトラフィックのタイプの指示に関連するＵＥを指示するメッセージを受信すること１５１、１５０と、低減されるべきトラフィックのタイプの指示に属するＵＥとの間のトラフィックをブロックすること、拒否すること、無視すること、または選択的に制限すること２１２とを行うために適合される、アクセスノード（ＡＮ）が提供される。
【００８２】
低減されるべきトラフィックのタイプの指示７は、ＵＥが割り振られ得る予約済み識別情報空間に関連し、
ＡＮは、割り振られたＵＥに関するさらなるメッセージ１５０をＡＮに転送すること２１０であって、さらなるメッセージ１５０が、低減されるべきトラフィックのタイプに関連する予約済み識別情報空間内の識別情報へのＵＥの割り振り１４２を含む、転送すること２１０と、ＵＥからアタッチ要求２２を受信することとを行うためにさらに適合される。
【００８３】
ＵＥは、グローバル一意一時ＩＤ（ＧＵＴＩ）に割り振られ得、ＭＭＥＣは、低減されるべきトラフィックのタイプの指示に関連する予約済みアドレス空間から選定され、さらなるメッセージ１５０は、アタッチ受付メッセージ１５１、１０３、トラフィックエリア更新（ＴＡＵ）受付メッセージ、またはグローバル一意一時ＩＤ（ＧＵＴＩ）再割当てコマンドである。
【００８４】
上記で説明された方法は、コンピュータプログラムまたはコンピュータプログラム製品として実装され得る。
【００８５】
さらなる実施形態によれば、ｅＮｏｄｅＢなどのアクセスノード（ＡＮ）と通信するために適合されるモバイル管理制御エンティティ（ＭＢＣ）であって、ＭＢＣは、
−  ＡＮとの間の低減されるべきトラフィックのタイプの指示７を含むメッセージを発行することであって、トラフィック低減が、トラフィックをブロックすること、拒否すること、無視すること、または選択的に制限することのうちの１つを含む、発行すること
を行うために適合された処理手段を備える、モバイル管理制御エンティティ（ＭＢＣ）が提供される。
【００８６】
処理手段は、プロセッサＰＣＵ＿ＭＢＣと、インターフェースＩＦ＿ＭＢＣと、メモリＭＥＭ＿ＭＢＣとによって構成され得、命令が、プロセッサによって実施されるためにメモリに記憶され、その結果、シグナリングがインターフェース上に実現される。
【００８７】
さらなる実施形態によれば、ｅＮｏｄｅＢ（ｅＮＢ）などのアクセスノード（ＡＮ）であって、ＡＮが、ＵＥへの無線アクセスのために適合された処理手段を備え、ＡＮが、モビリティ制御エンティティ（ＭＢＣ）と通信し、
ＡＮが、
−  低減されるべきトラフィックのタイプの指示７をもつメッセージ６をＭＢＣから受信することと、
−  低減されるべきトラフィックのタイプの指示に関連するＵＥを指示するさらなるメッセージ１５０をＭＢＣから受信すること１５０と、
−  低減されるべきトラフィックのタイプの指示に属するＵＥとの間のトラフィックをブロックすること、拒否すること、無視すること、または選択的に制限すること２１２と
を行うために適合される、アクセスノード（ＡＮ）が提供される。
【００８８】
処理手段は、プロセッサＰＣＵ＿ＡＮと、インターフェースＩＦ＿ＡＮと、プロセッサによって実施されるための命令を保持するためのメモリＭＥＭ＿ＡＮとによって構成され得、その結果、シグナリングがインターフェース上に実現される。
【００８９】
上記で論じられた方法は、代替的に、ネットワーク機能仮想化に基づくシステムによって実装され得る。図１０では、本発明のさらなる実施形態が、たとえば、汎用サーバ、標準ストレージおよびスイッチ上に形成された、そのようなネットワーク機能仮想化システム（ＮＦＶＳ：ｎｅｔｗｏｒｋ  ｆｕｎｃｔｉｏｎ  ｖｉｒｔｕａｌｉｚａｔｉｏｎ  ｓｙｓｔｅｍ）によって実装される。ＮＦＶＳは、図４、ＥＴＳＩ  ＧＳ  ＮＦＶ００２  Ｖ．１．１．１（２０１３年１０月）で説明された方針に沿って構成され得、以下の要素、すなわち、オーケストレーター（ＯＲＣＨ：Ｏｒｃｈｅｓｔｒａｔｏｒ）と、ＶＮＦマネージャ（ＶＮＦ＿ＭＧＲ）と、仮想化されたインフラストラクチャマネージャ（ＶＩＲＴ＿ＩＮＦＲＡ＿ＭＧＲ）とを備える、ＮＦＶ管理およびオーケストレーション（ｏｒｃｈｅｓｔｒａｔｉｏｎ）システムを備える。ＮＦＶＳは、その上、運用／ビジネスサポートシステム（ＯＰ／ＢＵＳＳ＿ＳＵＰＰ＿ＳＹＳＴ）と、上記で説明された方法のステップがインスタンス化される、いくつかの仮想ネットワーク機能インスタンス（ＶＮＦ）と、仮想化されたインフラストラクチャ（ＶＩＲＴ＿ＩＮＦＲＡ）とを備える。ＶＩＲＴ＿ＩＮＦＲＡは、仮想コンピューティング（ＶＩＲＴ＿ＣＯＭＰ）と、仮想ネットワーク（ＶＩＲＴ＿ＮＥＴＷ）と、仮想メモリ（ＶＩＲＴ＿ＭＥＭ）と、仮想化レイヤ（ＶＩＲＴ＿ＬＡＹＥＲ）（たとえばハイパーバイザ）と、共有ハードウェアリソース（ＳＨＡＲＥＤ＿ＨＡＲＤＷ＿ＲＥＳ）とを備え、共有ハードウェアリソース（ＳＨＡＲＥＤ＿ＨＡＲＤＷ＿ＲＥＳ）は、コンピューティングデバイス（ＣＯＭＰ）と、たとえば標準スイッチと他のネットワークデバイスとを備えるネットワークデバイス（ＮＥＴＷ）と、標準データストレージデバイス（ＭＥＭ）とを備える。
【図１】
2019537366.tif 000006
【図２】
2019537366.tif 000007
【図３】
2019537366.tif 000008
【図４】
2019537366.tif 000009
【図５】
2019537366.tif 000010
【図６】
2019537366.tif 000011
【図７】
2019537366.tif 000012
【図８】
2019537366.tif 000013
【図９】
2019537366.tif 000014
【図１０】
2019537366.tif 000015
【図１１】
2019537366.tif 000016
【国際調査報告】
2019537366.tif 000017
2019537366.tif 000018
2019537366.tif 000019
2019537366.tif 000020